(57)【要約】【課題】使用時に収納液を味わう楽しみに加えて視覚的楽しみを付加することができ、しかも、構造が簡単で、視覚的楽しみを観賞し易いストローを提案する。【解決手段】筒状のストロー本体２の中間部より外方へ装飾体３を突設し、また、装飾体３内にスライド可能に設けた表示体１３及びストロー本体２内に設けた浮き１４とを連結帯１５により連結した表示部材４を設け、ストロー本体２内の液の流れに伴って浮き１４が移動することにより表示体１３が移動し、装飾体３の覗き窓７内に於ける表示体１３の表示１６が変化する如く構成した。【選択図】図１
2004147839.tif 000002
【特許請求の範囲】
【請求項１】
筒状のストロー本体２と、該本体の中間部より外方に突設するとともに、中空の内部をストロー本体２内と連通し、内部を可視可能な装飾体３と、装飾体３内にスライド可能に設けた表示体１３及びストロー本体２内に設けた浮き１４とを連結帯１５により連結した表示部材４とを備え、ストロー本体２内の液の流れに伴って上記浮き１４がストロー本体２内を移動するとともに、上記表示体１３が移動する如く構成したことを特徴とするストロー。
【請求項２】
上記ストロー本体２を上部ストロー本体２ａ及び下部ストロー本体２ｂの二部材で構成し、上記装飾体３は、その内部空間５を透孔８を介して嵌合筒６内と連通させてなり、上記透孔８上方の嵌合筒６上部に上部ストロー本体２ａを密嵌させるとともに、透孔８下方の嵌合筒６に下部ストロー本体２ｂを密嵌させてなる請求項１記載のストロー。
【請求項３】
上記装飾体３に覗き窓７を設けることにより内部を可視可能に構成した請求項１記載のストロー。
【請求項４】
上記装飾体３が動物の顔形状をなし、上記覗き窓７が目形状をなす一対の覗き窓であり、上記表示体１３の表示１６が、動物の目の表情を表す表示であり、表示体１３の移動により目の表情が変化する如く構成してなる請求項３記載のストロー。
【発明の詳細な説明】
【０００１】
【発明の属する技術分野】
本発明はストローに関する。
【０００２】
【従来の技術】
容器内の飲料液をストローで吸飲することが一般に行われているが、使用時に収納液を味わう楽しみに加えて視覚的楽しみを付加することができるものが提案されている（例えば、特許文献１参照）。
【０００３】
このストローは、透明ストロー内に、外周に模様を設けた円筒を回転自在に設け、円筒には各端部に一対のプロペラを設ける。そして、飲料水を飲む時の抵抗を利用してストロー内で円筒を運動させることにより、円筒外面の模様を動く模様として透明のストローの外から見ることができる如く構成している。
【０００４】
【特許文献１】
特開２００１−１２８８３０号公報（第２−３頁，図１）
【発明が解決しようとする課題】
本発明は上記したストローの如く、使用時に収納液を味わう楽しみに加えて視覚的楽しみを付加することができ、しかも、構造が簡単で、観賞し易いストローを提案するものである。
【０００５】
【課題を解決するための手段】
本請求項１発明のストローは上記課題を解決するため、筒状のストロー本体２と、該本体の中間部より外方に突設するとともに、中空の内部をストロー本体２内と連通し、内部を可視可能な装飾体３と、装飾体３内にスライド可能に設けた表示体１３及びストロー本体２内に設けた浮き１４とを連結帯１５により連結した表示部材４とを備え、ストロー本体２内の液の流れに伴って上記浮き１４がストロー本体２内を移動するとともに、上記表示体１３が移動する如く構成したことを特徴とするストローとして構成した。
【０００６】
また、請求項２発明のストローは、上記ストロー本体２を上部ストロー本体２ａ及び下部ストロー本体２ｂの二部材で構成し、上記装飾体３は、その内部空間５を透孔８を介して嵌合筒６内と連通させてなり、上記透孔８上方の嵌合筒６上部に上部ストロー本体２ａを密嵌させるとともに、透孔８下方の嵌合筒６に下部ストロー本体２ｂを密嵌させてなる請求項１記載のストローとして構成した。
【０００７】
また、請求項３発明のストローは、上記装飾体３に覗き窓７を設けることにより内部を可視可能に構成した請求項１記載のストローとして構成した。
【０００８】
また、請求項４発明のストローは、上記装飾体３が動物の顔形状をなし、上記覗き窓７が目形状をなす一対の覗き窓であり、上記表示体１３の表示１６が、動物の目の表情を表す表示であり、表示体１３の移動により目の表情が変化する如く構成してなる請求項３記載のストローとして構成した。
【０００９】
【発明の実施の形態】
以下、本発明の実施例の形態を図面を参照して説明する。
【００１０】
本発明のストロー１は、ストロー本体２と、装飾体３と、表示部材４とを備えている。
【００１１】
ストロー本体２は、合成樹脂等により形成された筒状をなすもので、上端より下端まで一体のものであっても、複数の筒状のストロー本体構成体を連結したものであっても良い。図示例では、装飾体３を固定するための後述する嵌合筒と、該嵌合筒にそれぞれ上下より密嵌させた上部ストロー本体２ａと、下部ストロー本体２ｂとでストロー本体２を構成している。
【００１２】
装飾体３は、上記ストロー本体２の長手方向中間部より外方に突設するとともに、内部空間５をストロー本体２内と連通している。装飾体３のストロー本体２への連結形態は上記要件を満たす範囲で種々の形態を採用できる。例えば、ストロー本体と装飾体とを一体に形成することも可能であり、その場合には、例えば、装飾体を上下開閉可能に形成して、両者を密嵌させる如くすると良いが、これに限られない。また、別体の装飾体をストロー本体に組み付けるようにしても良い。その場合には連結手段を設ければ良く、連結手段として例えば図示例の如くストロー本体を嵌着させる嵌合筒６を設けて、該嵌合筒６より装飾体３を突設する如く構成しても良い。
【００１３】
また、装飾体３は、例えば、動物や植物、或いはその他の物体等の形状を型取ったもので、内部を可視可能に構成している。内部を可視可能にするためには、全体を透明材で形成したり、図示例の如き覗き窓７を設ける。この覗き窓７の形状は、装飾体３の形状や後述する表示体の表示と対応させて種々の形状を採用できるが、吸飲のためにストロー本体２を口につけた際に目視可能な位置に設けることが視覚的効果の上でより好ましい。尚、覗き窓７部分に透明材を嵌着させたり、装飾体３を透明材で形成して覗き窓以外の部分を着色して透明覗き窓７として構成しても良い。
【００１４】
図示例に於いて装飾体３は、嵌合筒６より外方へ突設するとともに、その内部空間５を透孔８を介して嵌合筒６内と連通させており、上記透孔８上方の嵌合筒６上部に上記した上部ストロー本体２ａを密嵌させるとともに、透孔８下方の嵌合筒６に上記した下部ストロー本体２ｂを密嵌させている。
【００１５】
更に詳述すると、嵌合筒６付きの装飾体３は、装飾体３の上下中間部で分離した状態の上部材Ａと、下部材Ｂとの上下二部材で構成している。上部材Ａは、嵌合筒６の上部を構成する上部嵌合筒６ａと、上部嵌合筒６ａの外周下部より外方へ頂板９を延設するとともに、頂板９周縁部より周壁１０を垂設した上部装飾体形成部とで構成している。一方、下部材Ｂは、上部嵌合筒６ａの下端部外周に上端部を密嵌させた下部嵌合筒６ｂと、下部嵌合筒６ｂの外周上部より底板１１を延設するとともに、垂板１１周縁部より立設した周壁１２を上記周壁１０内周に密嵌させた下部装飾体形成部とで構成している。
【００１６】
また、図示例に於ける装飾体３は、動物の顔形状をなしており、また、その目該当位置に一対の覗き窓７を設けている。尚、図示例に於いて装飾体３は熊の顔の形状をなしているが、上記した如くこれに限らず、他の動物の顔等の形状を採用することができる。
【００１７】
表示部材４は合成樹脂等により形成したもので、装飾体３内にスライド可能に設けた表示体１３及びストロー本体２内に設けた浮き１４とを、可撓性の連結帯１５により連結して構成している。
【００１８】
表示体１３は、装飾体３の内部空間５をスライド可能な大きさを有しており、また、移動の前後に於いて覗き窓７の位置を覆う大きさを有しており、表面に表示１６を設けている。表示１６としては種々のものを採用でき、例えば、模様，図柄，絵，漫画，記号等が挙げられる。これらの付与には印刷，転写等の適宜公知手段を採用できる。そして、ストロー本体２内の液の流れに伴って上記浮き１４がストロー本体２内を移動するとともに、上記表示体１３が移動し、上記覗き窓７内の表示体１３の表示１６が変化する如く構成ている。尚、図示しないが、表示体１３のスライド範囲を規制したり、表示体１３のまっすぐな移動を目的とした案内リブを内部空間５に設けると良い。
【００１９】
図示例に於いて、上記表示体１３の表示１６は動物の目の表情を表す複数の表示１６であり、表示体１３の移動により目の表情が変化する如く構成している。具体的には、表示体１３の連結帯１５と反対の端縁側に笑った状態の目の表情を表す表示１６ａ  を、その下部に通常の目の表情を表す表示１６ｂ  を、それぞれ設けており、表示体１３のスライドにより、各表示が覗き窓７部分に位置する如く構成している。
【００２０】
浮き１４は、液の流れに伴って上昇或いは下降することができるものであれば、その形態は種々採用することができるが、図示例の如き、表示体１３及び連結帯１５と一体に形成したものであっても、別体に形成して後に連結したものであっても良い。図示例では、二枚の円板をクロス状に一体化させた十字板状の浮き１４を設けている。
【００２１】
上記の如く構成したストロー１を使用する場合は、例えば、図２に示す如く、ストロー本体２の下端部を容器１７内に挿入して収納液を吸飲する。この際、最初図４（ａ）  に示す如く、表示体１３は装飾体３の奥に位置して、通常の目の表情を表す表示１６ｂ  が覗き窓７に位置する。この状態から液を吸飲するとストロー本体２内を液が上昇し、それに伴って浮き１４が上昇し、その結果、連結帯１５が引き出されて表示体１３が移動し、図４（ｂ）  に示す如く、笑った目の表情を表す表示１６ａ  が覗き窓７に位置して熊の表情が変わる。また、液の吸飲をやめると残ったストロー内の液は下降して容器１７内に戻るが、この際、上昇した浮き１４を押し下げるため、連結帯１５及び表示体１３は押し戻され、元の状態に戻る。尚、上記実施例では装飾体３及び表示体１３を板状に形成しているが、これに限られず他の形状のものを採用することも当然可能である。
【００２２】
【発明の効果】
以上説明した如く、本発明のストローは、筒状のストロー本体２と、該本体の中間部より外方に突設するとともに、中空の内部をストロー本体２内と連通し、且つ、内部を可視可能に設けた装飾体３と、装飾体３内にスライド可能に設けた表示体１３及びストロー本体２内に設けた浮き１４とを連結帯１５により連結した表示部材４とを備え、ストロー本体２内の液の流れに伴って上記浮き１４がストロー本体２内を移動するとともに、上記表示体１３が移動する如く構成したので、取り扱い時により大きな視覚的楽しみを発揮するものであり、しかも構造も簡単で、商品価値を高めるものである。
【００２３】
また、上記ストロー本体２を上部ストロー本体２ａ及び下部ストロー本体２ｂの二部材で構成し、上記装飾体３は、嵌合筒６内と透孔８を介して内部空間５とを連通させてなり、上記透孔８上方の嵌合筒６上部に上部ストロー本体２ａを密嵌させるとともに、透孔８下方の嵌合筒６に下部ストロー本体２ｂを密嵌させてなるものにあっては、組み付けが簡単で容易な製造ができる利点を兼ね備えている。
【００２４】
また、上記装飾体３が動物の顔形状をなすとともに、目形状をなす一対の覗き窓を設け、更に動物の目の表情を表す表示１６でを有し、表示体１３の移動により目の表情が変化する如く構成してなるものにあっては、吸飲の都度動物が違った表情をするため、更に大きな視覚的楽しみを付与するものである。
【図面の簡単な説明】
【図１】本発明の一実施例を示す要部縦断面図である。
【図２】同実施例の斜視図である。
【図３】同実施例に於ける表示部材の一例を示す平面図である。
【図４】同実施例の作用を説明する説明図である。
【符号の説明】
２…ストロー本体，２ａ…上部ストロー本体，２ｂ…下部ストロー本体，
３…装飾体，４…表示部材，５…内部空間，６…嵌合筒，７…覗き窓，
１３…表示体，１４…浮き、１５…連結帯、１６…表示
【図１】
2004147839.tif 000003
【図２】
2004147839.tif 000004
【図３】
2004147839.tif 000005
【図４】
2004147839.tif 000006